(57)【要約】【課題】軽装備にて、所持品を身につけ、衣服や装飾品としても使用できる、身体着用品を提供することを目的とする。【解決手段】身体着用品１は、布で形成されており、ベルトに通すためのベルト通し部２と、ベルト通し部２の下方に設けられた垂れ布部３とを備え、垂れ布部３はポケット３５を有する。ベルト通し部２を、ズボン５やスカート等の被服の腰ベルト６に通して着用することにより、所持品を身体着用品１のポケット３５に入れて持ち歩くことができるため、ズボン５のポケット３５に物を入れることにより生じる不快感や、外観の悪さを生じない。ウエストポーチのように、腰ベルト６の上からさらに、ベルトを巻きつける必要がなく、軽装備であり、動きやすい。また、上着の裾よりも下方に、垂れ布部３が垂れ下がり、外から見えるように、着用するならば、垂れ布部３に、装飾を施したりすることにより、装飾品として利用できる。【選択図】図３
2007061442.tif 000002
【特許請求の範囲】
【請求項１】
腰ベルトに通して着用する身体着用品であって、
布で形成されており、
前記腰ベルトに通すためのベルト通し部と、
前記ベルト通し部の下方に設けられた垂れ布部とを備え、
前記垂れ布部はポケットを有することを特徴とする身体着用品。
【請求項２】
請求項１に記載の身体着用品において、前記垂れ布部は表と裏が異なる色または模様であることを特徴とする身体着用品。
【請求項３】
請求項１または請求項２に記載の身体着用品において、前記ベルト通し部は、前記垂れ布部よりも厚手に形成されていることを特徴とする身体着用品。
【請求項４】
請求項１ないし請求項３のいずれかに記載の身体着用品において、前記垂れ布部は下部に紐通し部を有し、
連設された複数個の身体着用品が、前記複数個の身体着用品の前記紐通し部にわたって挿通された紐により、互いに連結され、
前記紐は、前記垂れ布部の下部の紐通し部に遊挿されているため、前記紐上で、紐通し部が遊動可能であり、前記複数個の身体着用品の前記垂れ布部のそれぞれの間隔を縮めたり、広げたりすることが可能であることを特徴とする連設型身体着用品。
【発明の詳細な説明】
【技術分野】
【０００１】
本発明は、ズボンやスカートの腰ベルトに通して着用するポケット付きの身体着用品及び連設型身体着用品に関する。
【背景技術】
【０００２】
眼鏡、携帯電話や財布等の所持品をズボンやスカートのポケットに入れて持ち歩くことがあるが、その場合、ポケットがふくらみ、外観が悪くなったり、ポケットの内容物が太腿に当たり不快であるという問題がある。そのため、ズボンやスカートのポケットには多くの物を入れることができない。
ズボンやスカートのポケットに物を入れることなく、多くの物を、身につけて持ち歩くための装着具には、ウエストポーチやポケット付エプロン（例えば、特許文献１）などがある。
【０００３】
しかし、ウエストポーチやポケット付エプロンは腰に巻きつけるためのベルトを有するため、ズボンやスカートに腰ベルトと、ウエストポーチやポケット付エプロンのベルトが重なり、腰周りが重装備となってしまうという問題点があった。
【特許文献１】特開２００１−２２６８０６号公報
【発明の開示】
【発明が解決しようとする課題】
【０００４】
本発明は、上記の問題点を解決するためになされたものであり、軽装備にて、所持品を身につけ、衣服や装飾品としても使用できる、身体着用品を提供することを目的とする。
【課題を解決するための手段】
【０００５】
〔請求項１の手段〕
請求項１に記載の身体着用品は、腰ベルトに通して着用する身体着用品であって、布で形成されており、腰ベルトに通すためのベルト通し部と、ベルト通し部の下方に設けられた垂れ布部とを備え、垂れ布部はポケットを有する。
これにより、所持品を身体着用品のポケットに入れて持ち歩くことができるため、ズボンやスカート等の被服のポケットに物を入れることにより生じる不快感や、外観の悪さを生じない。また、この身体着用品はズボンやスカートの腰ベルトに通して着用するため、ウエストポーチのように、腰ベルトの上からさらに、ベルトを巻きつける必要がなく、軽装備であり、動きやすい。
また、垂れ布部などに、装飾を施したりすることにより、装飾品としても利用できる。
【０００６】
〔請求項２の手段〕
請求項２に記載の身体着用品は、垂れ布部は表と裏が異なる色または模様である。
これにより、リバーシブルに使用でき、１つの身体着用品で、２通りの装飾が可能である。
【０００７】
〔請求項３の手段〕
請求項３に記載の身体着用品は、ベルト通し部は、垂れ布部よりも厚手に形成されている。
これにより、ポケットに多少重い物を入れても、身体着用品は、スカートやズボン等の腰ベルトに確実に装着され、丈夫である。
【０００８】
〔請求項４の手段〕
請求項４に記載の連設型身体着用品は、垂れ布部は下部に紐通し部を有し、連設された複数個の身体着用品が、複数個の身体着用品の紐通し部にわたって挿通された紐により、互いに連結され、紐は、垂れ布部の下部の紐通し部に遊挿されているため、紐上で、紐通し部が遊動可能であり、複数個の身体着用品の垂れ布部のそれぞれの間隔を縮めたり、広げたりすることが可能であることを特徴とする。
複数個の身体着用品を紐により、それぞれの間隔を縮めたり、広げたりできるために、装飾品としての、様々な見せ方ができる。また、激しい運動をしたり、トイレに行ったりするときなど、腰ベルトから垂れ布部が垂れ下がっていると邪魔となる場合に、複数個の身体着用品の垂れ布部をまとめて、めくり上げ、紐を使って腰や腹部に縛りつけることにより、垂れ布部が邪魔にならないようにすることができる。
【発明を実施するための最良の形態】
【０００９】
最良の形態１の身体着用品は、腰ベルトに通して着用する身体着用品であって、布で形成されており、腰ベルトに通すためのベルト通し部と、ベルト通し部の下方に設けられた垂れ布部とを備え、垂れ布部はポケットを有する。また、垂れ布部は表と裏が異なる色または模様である。そして、ベルト通し部は、垂れ布部よりも厚手に形成されている。
【００１０】
最良の形態２の身体着用品は、垂れ布部は下部に紐通し部を有し、紐通し部に挿通された紐により、連設された複数個の身体着用品が互いに連結され、紐は、垂れ布部の下部の紐通し部に遊挿されているため、紐上で、紐通し部が遊動可能であり、複数個の身体着用品の垂れ布部のそれぞれの間隔を縮めたり、広げたりすることが可能である。
【実施例１】
【００１１】
〔実施例１の構成〕
実施例１の身体着用品１の構成を、図１ないし図３を用いて説明する。
身体着用品１は、天然繊維や合成繊維からなる布で形成されており、被服等を着用するときに使う腰ベルトに通すためのベルト通し部２と、ベルト通し部２の下方に垂れ下がった垂れ布部３とを備える。
【００１２】
本実施例では、図１に示すように、身体着用品１は、長方形の無地の表布３１と水玉模様の裏布３２の背面同士を合わせ、外周を縫着してなるシート３３を有する。そして、シート３３の上端部には、厚手の布２１を折り曲げた状態で、厚手の布２１が、表布３１と裏布３２との間に一部挟まれるように縫い付けられているとともに、筒状に縫製されている。厚手の布２１が筒状に縫製された部分がベルト通し部２となり、ベルト通し部２より下方のシート３３の部分が垂れ布部３となっている。
また、垂れ布部３には、表布３１の側に、略長方形の布の４辺のうち、ベルト通し部２の方向の１辺を除く３辺を表布３１に縫着してなる、ポケット３５が設けられている。
本実施例のポケット３５は、ベルト通し部２の方向に開口しており、ポケットの幅は、表布３１とほぼ同じである。
【００１３】
本実施例では、垂れ布部３を表布３１と裏布３２からなるシート３３で構成しているが、表布３１のみで構成してもよい。その場合、表布３１の表面と裏面に異なるプリント等が施されていてもよい。
本実施例では、ベルト通し部２を厚手の布２１により形成したが、厚手ではない布を２重、３重に重ねることにより、厚手に形成してもよい。また、ベルト通し部２は、ナイロン製付着テープ等を使用することにより、着脱可能となっていてもよい。また、ポケット３５は、表布３１側にのみ設けたが、裏布３２の側にも設けてもよい。
【００１４】
垂れ布部３の形状は、図１に示すように長方形であっても、図２（ａ）のように下端部が円弧状になっていてもよく、限定されるものではない。
ベルト通し部２は、図１に示すように、幅（ベルト通し方向の長さ）が、垂れ布部３の幅と同じであってもよいし、垂れ布部３の幅より小さくてもよい。また、図２（ａ）に示すように、垂れ布部３の幅と比較して幅の狭い２つのベルト通し部２が間隔をあけて設けられているのでもよい。また図２（ｂ）に示すように、垂れ布部３の幅と比較して幅の狭い２つのベルト通し部２の間にもう１つのベルト通し部２が設けられているのでもよい。
【００１５】
ポケット３５は、幅が表布３１の幅と同じではなく、図２（ａ）、（ｂ）、（ｃ）に示すように、表布３１の幅より小さくてもよい。また、ポケット３５の形状は、長方形でなくても、円形、三角形、ハート型などでもよく、図２（ｃ）のようにポケット３５にマチがあり、嵩張る物が入れられるようになっていてもよい。
また、ポケット３５が１つに限らず、図２（ｂ）のように左右に２つに分かれていてもよいし、上下に複数設けられているのでもよい。
【００１６】
〔実施例１の作用、効果〕
図３に示すように、身体着用品１は、ズボン５の腰ベルト６等に通される。腰の周りのどこにでも着用できる。
これにより、所持品（例えば眼鏡７、携帯電話、財布など）を身体着用品１のポケット３５に入れて持ち歩くことができるため、ズボン５のポケット３５に物を入れることにより生じる不快感や、外観の悪さを生じない。また、この身体着用品１はズボン５やスカートの腰ベルト６に通して着用するため、ウエストポーチのように、腰ベルト６の上からさらに、ベルトを巻きつける必要がなく、軽装備であり、動きやすい。
また、上着の裾よりも下方に、垂れ布部３が垂れ下がり、外から見えるように、着用するならば、垂れ布部３に、装飾を施したりすることにより、装飾品として利用できる。
【００１７】
さらに、垂れ布部３は表と裏が異なる色または模様であることにより、リバーシブルに使用でき、１つの身体着用品１で、２通りの装飾が可能である。
また、ベルト通し部２は、垂れ布部３よりも厚手に形成されていることにより、ポケット３５に多少重い物を入れても、身体着用品１は、ズボン５やスカート等の腰ベルト６に確実に装着され、丈夫である。
【００１８】
図３では、身体着用品１を、ズボン５の腰ベルト６に通して着用しているが、ズボンに限らず、様々な被服の腰ベルト６に着用することができる。
丈の短いスカートの腰ベルト６に着用する場合、スカートの丈よりも長い垂れ布部３を有する身体着用品１を着用するならば、例えば、階段を上がるときに、身体着用品１を腰の後ろ側に回すことで、スカートの裾から下着が見えることがないようにできる。
また、薄手で細身のズボンや、薄い色のズボンをはく時、下着のラインが見えてしまうことがあるが、身体着用品１を使って、それを隠すこともできる。
【実施例２】
【００１９】
〔実施例２の構成〕
実施例２の連設型身体着用品１Ａの構成を、図４ないし図６を用いて説明する。
連設型身体着用品１Ａは、図４に示すように、様々の幅の身体着用品１で構成されている。
本実施例の身体着用品１は、垂れ布部３の下部に紐通し部を有する。本実施例では、図４に示すように、紐通し部は、垂れ布部３の下方に設けられた穴３７である。連設型身体着用品１Ａは、穴３７に挿通された紐８により、連設された複数個の身体着用品１が互いに連結されていることでなっている。
【００２０】
穴３７は、１つの身体着用品１に２つ設けられており、穴３７には、鳩目が取り付けられていてもよい。
一本の紐８が、複数個の身体着用品１の隣り合う穴３７に、表側と裏側から交互に挿入される。すなわち、紐８が、穴３７を介して、垂れ布部３を並縫いするような状態で、一本の紐８が、複数個の身体着用品１の垂れ布部３の穴３７に挿通する。
紐８の両端はそれぞれ、こま結びしてあるか、止め具が設けられており、紐８が穴３７から簡単に抜けたり、紐８の両端が穴３７に入り込んだりしないようになっている。
尚、紐通し部は、穴３７を設ける代わりにシート３３の下端を折り曲げて、筒状に縫製することにより、紐８が挿通するように形成されていてもよい。
【００２１】
〔実施例２の作用〕
図５に示すように、連設型身体着用品１Ａをズボン５の腰ベルト６に通して着用する。腰ベルト６の全周にわたって複数個の身体着用品１を着用し、垂れ布部３の下端部の紐通し部３６に挿通された紐８の両端を結べば、スカートのようになる。また、紐８を結ばないならば、腰巻のようになる。
腰ベルト６の全周にわたって複数個の身体着用品１を着用しなくても、腰ベルト６の一部に、複数個の身体着用品１を着用してもよい。
【００２２】
また、紐通し部３６に挿通した紐８の上で、複数個の身体着用品１のそれぞれの垂れ布部３を紐８の長手方向に動かすことによって、複数個の身体着用品１の垂れ布部３のそれぞれの間隔を縮めたり広げたりすることができる。また、垂れ布部にプリーツを寄せたりすることも可能である。
【００２３】
激しい運動をしたり、トイレに行ったりするときなど、腰ベルト６から垂れ布部３が垂れ下がっていると邪魔となる場合には、図６に示すように、複数個の身体着用品１の垂れ布部３をまとめて、めくり上げ、紐８を使って腰や腹部に縛りつける。
【００２４】
〔実施例２の効果〕
複数個の身体着用品１を腰ベルト６に着用することによって、スカートのようになったり、腰巻のようになったりと、様々な着用の仕方ができるとともに、複数個の身体着用品１を紐により、それぞれの間隔を縮めたり、広げたりできるために、着用者の趣向で、様々な仕方で着用でき、ファッション性に優れる。その上、複数個の身体着用品１のポケット３５を使って、多くの所持品を収容することができる。
【００２５】
垂れ布部３は表と裏が異なる色または模様であるため、複数個の身体着用品１を着用する場合に、幾つかの身体着用品１は表側、幾つかは裏側が、体の外向きになるよう着用し、個性的な好みに応じて、その組み合わせを変えることにより、違う雰囲気を醸し出すことができ、ファッション性に優れる。
【００２６】
また、激しい運動をしたり、トイレに行ったりするときなど、腰ベルト６から垂れ布部３が垂れ下がっていると邪魔となる場合にも、複数個の身体着用品１の垂れ布部３をまとめて、めくり上げ、紐８を使って腰や腹部に縛りつけることができるため、邪魔になることがない。
また、連設型身体着用品１Ａを、様々な幅の身体着用品１で構成することにより、着用者のウエストのサイズに合わせて、様々な幅の身体着用品１を組み合わせて、着用することができる。
尚、身体着用品１の幅は、１０ｃｍ、１５ｃｍ、２０ｃｍ、３０ｃｍの４種類ある。
【００２７】
実施例１及び２では、身体着用品１をズボン５の腰ベルト６に通して着用しているが、ズボンに限らず、水着や着物などにも利用してもよい。着物や水着に利用する場合にも、身体着用品１のベルト通し部２に、腰紐や腰ベルトを通し、腰に巻きつけることにより、身体着用品１を着用することができる。水着や着物は一般的に所持品を収納する場所がないが、身体着用品１または連設型身体着用品１Ａを着用するならば、所持品を身体着用品１または連設型身体着用品１Ａのポケット３５に入れて持ち歩くことができ、大変便利である。
【図面の簡単な説明】
【００２８】
【図１】（ａ）は身体着用品の正面からみた構成図、（ｂ）は身体着用品の背面からみた構成図である（実施例１）。
【図２】（ａ）、（ｂ）、（ｃ）は身体着用品の構成図である（実施例１）。
【図３】身体着用品の使用図である（実施例１）。
【図４】連設型身体着用品の構成図である（実施例２）。
【図５】連設型身体着用品の使用図である（実施例２）。
【図６】連設型身体着用品の使用図である（実施例２）。
【符号の説明】
【００２９】
１  身体着用品
２  ベルト通し部
３  垂れ布部
３５  ポケット
３７  穴
５  ズボン
６  腰ベルト
１Ａ  連設型身体着用品
【図１】
2007061442.tif 000003
【図２】
2007061442.tif 000004
【図３】
2007061442.tif 000005
【図４】
2007061442.tif 000006
【図５】
2007061442.tif 000007
【図６】
2007061442.tif 000008